(57)【要約】【課題】  番組詳細情報と異なるチャンネルの複数の番組タイトルとの両方を参照可能な電子番組情報を表示する放送受信装置及び放送受信方法を提供する。【解決手段】放送信号を復調して復調信号を出力するチューナ部と、この復調信号から電子番組情報を分離する分離部と、この電子番組情報から時刻情報とチャンネル情報に応じた複数の番組タイトル情報と複数の番組詳細情報を抽出し、第１モード（チャンネルモード）と第２モード（詳細モード）を用意し、第１モードにおいては、複数の番組タイトル情報を表示し番組詳細情報は表示しない画面（図５）のための画像信号を生成し、第２モードにおいては、番組詳細情報とこの番組詳細情報の番組タイトルとは異なる複数の番組タイトル情報の両方を同時に表示する画面（図６）のための画像信号を生成する処理部３６をもつ放送受信装置。【選択図】図１
2008245175.tif 000002
【特許請求の範囲】
【請求項１】
放送信号を復調して復調信号を出力するチューナ部と、
前記チューナ部からの復調信号から電子番組情報を分離する分離部と、
前記分離部からの前記電子番組情報から時刻情報とチャンネル情報に応じた複数の番組タイトル情報と複数の番組詳細情報を抽出し、第１モードと前記第１モードとは異なる第２モードの一方を選択し、前記第１モードにおいては、複数の前記番組タイトル情報を表示し前記番組詳細情報は表示しない画面のための画像信号を生成し、前記第２モードにおいては、前記番組詳細情報と前記番組詳細情報の番組タイトルとは異なる複数の番組タイトル情報の両方を同時に表示する画面のための画像信号を生成するべく、前記電子番組情報を編集する処理部を具備することを特徴とする放送受信装置。
【請求項２】
前記処理部は、前記第２モードにおいて、第１領域とこれに隣り合う第２領域とこれに隣り合う第３領域を含む画面であって、前記第１領域は、第１のチャンネルの前記番組タイトル情報のみが表示され、前記第２領域は、前記第１チャンネルの隣のチャンネルである第２のチャンネルの前記番組詳細情報が表示され、前記第３領域は、第２のチャンネルの隣のチャンネルである第３のチャンネルの前記番組タイトル情報のみが表示される画面のための画像信号を生成することを特徴とする請求項１記載の放送受信装置。
【請求項３】
前記処理部は、前記第１モードにおいて、前記複数の番組タイトルから一つの番組タイトルを特定し、前記第１モードから前記第２モードへと変更された際に、先に特定された番組タイトルの番組について前記番組詳細情報を表示する画面のための画像信号を生成することを特徴とする請求項１記載の放送受信装置。
【請求項４】
前記処理部は、前記第２モードにおいて、前記複数の番組タイトル情報の中から特定された番組について前記番組詳細情報を表示し、次に他の番組を特定する操作信号があると、新たに特定された他の番組について前記番組詳細情報を表示する画面のための画像信号を生成することを特徴とする請求項１記載の放送受信装置。
【請求項５】
前記処理部は、前記第２モードにおいて、画面上に一つの番組に関する前記番組詳細情報を全て表示できなかった場合、操作信号を受けると、その番組の前記番組詳細情報の残りの部分を表示するべく画像信号を生成することを特徴とする請求項１記載の放送受信装置。
【請求項６】
前記処理部は、前記第２モードにおいて、画面上に一つの番組に関する前記番組詳細情報を全て表示できなかった場合、前記番組詳細情報と共にスライダーバーを画面上に表示し、操作信号を受けると、その番組の前記番組詳細情報の残りの部分を表示するべく画像信号を生成することを特徴とする請求項１記載の放送受信装置。
【請求項７】
前記処理部は、更に操作信号を受けると、前記第１モード及び第２モードとは異なる第３モードにおいて、前記番組詳細情報の他チャンネルの番組タイトルは表示せず前記番組詳細情報のみを表示するべく画像信号を生成することを特徴とする請求項１記載の放送受信装置。
【請求項８】
前記処理部は、前記第１モード及び第２モードの画面について、操作信号に応じて、縦軸に複数のチャンネルを配し横軸に時間帯を配する場合と、縦軸に時間帯を配し横軸に複数のチャンネルを配する場合のどちらか一方を選択することを特徴とする請求項１記載の放送受信装置。
【請求項９】
前記処理部からの画像信号に応じて、画像を画面上に表示する表示部を更に有することを特徴とする請求項１記載の放送受信装置。
【請求項１０】
放送信号を復調して復調信号を出力するチューナ部と、
前記チューナ部からの復調信号から電子番組情報を分離する分離部と、
前記分離部からの前記電子番組情報から時刻情報とチャンネル情報に応じた複数の番組タイトル情報と複数の番組詳細情報を抽出し、前記番組詳細情報と前記番組詳細情報の番組タイトルとは異なる複数の番組タイトル情報の両方を同時に表示する画面のための画像信号を生成するべく、前記電子番組情報を編集する処理部と、
を具備することを特徴とする放送受信装置。
【請求項１１】
放送信号を復調して復調信号から電子番組情報を分離し、
前記電子番組情報から時刻情報とチャンネル情報に応じた複数の番組タイトル情報と複数の番組詳細情報を抽出し、
第１モードと前記第１モードとは異なる第２モードとから一方を選択し、
前記第１モードにおいては、複数の前記番組タイトル情報を表示し前記番組詳細情報は表示しない画面のための画像信号を生成し、
前記第２モードにおいては、前記番組詳細情報と前記番組詳細情報の番組タイトルとは異なる複数の番組タイトル情報の両方を同時に表示する画面のための画像信号を生成するべく、前記電子番組情報を編集することを特徴とする放送受信方法。
【発明の詳細な説明】
【技術分野】
【０００１】
この発明は、電子番組情報を画面表示する放送受信装置及び放送受信方法に関する。
【背景技術】
【０００２】
最近、デジタル映像技術の発達に伴い特に地上波デジタル放送の普及が進んできており、併せて電子番組情報の活用が広く行なわれるようになってきている。このような電子番組情報（Electronic ProGram）は、新聞や雑誌等のテレビ番組欄に対応する番組情報を電子的に放送波等に重畳し、これを放送波から分離してテレビ画面等に表示したりすることで使用される。
【０００３】
特許文献１は、多重化された番組情報を抽出し、番組の放送時間、タイトル、詳細情報を含む複数の番組情報を１画面にまとめた番組表示用データを生成して、同一チャンネルの番組情報、または、ユーザにより所定条件で選別された番組情報を時間順に表示し、または、現在放送中の番組情報をチャンネル順に表示する技術が開示されている。
【特許文献１】特開２００２−２３２８０４号公報
【発明の開示】
【発明が解決しようとする課題】
【０００４】
しかし、特許文献１の従来技術は、一画面にて複数のタイトル情報を表示したり、他の一画面に切り替えることで１つの番組に関する番組詳細情報を表示したりする実施形態を示してはいるが、番組タイトルを複数表示した番組表と同時に１つの番組について俳優名や内容に関する番組情報を表示することはできない。つまり、ユーザが新聞のテレビ番組欄を参照するように、他の番組のタイトルを意識しながら同時に目的の番組の詳細情報を見るということができない。
【０００５】
本発明は、番組詳細情報と異なるチャンネルの複数の番組タイトルとの両方を参照可能な電子番組情報を表示する放送受信装置及び放送受信方法を提供することを目的とする。
【課題を解決するための手段】
【０００６】
課題を解決するための一実施形態は、
放送信号を復調して復調信号を出力するチューナ部（１２）と、
前記チューナ部からの復調信号から電子番組情報を分離する分離部（１７）と、
前記分離部からの前記電子番組情報から時刻情報とチャンネル情報に応じた複数の番組タイトル情報と複数の番組詳細情報を抽出し、第１モード（タイトルモード）と前記第１モードとは異なる第２モード（詳細モード）の一方を選択し、前記第１モードにおいては、複数の前記番組タイトル情報を表示し前記番組詳細情報は表示しない画面（図３のＤ１，図５）のための画像信号を生成し、前記第２モードにおいては、前記番組詳細情報と前記番組詳細情報の番組タイトルとは異なる複数の番組タイトル情報の両方を同時に表示する画面（図３のＤ２，図６）のための画像信号を生成するべく、前記電子番組情報を編集する処理部（３６）を具備することを特徴とする放送受信装置である。
【発明の効果】
【０００７】
テレビ番組の出演者等の番組詳細情報を、例えば、番組タイトル情報を表示する二つの領域に上下に挟まれた形で画面中央に表示することで、他のチャンネルの番組の様子を知ると同時に目的の番組の詳細情報を知ることができる電子番組情報を表示する。
【発明を実施するための最良の形態】
【０００８】
以下、この発明の実施の形態について図面を参照して詳細に説明する。
【０００９】
＜本発明の一実施形態に係る放送受信装置の一例＞
初めに、本発明の一実施形態に係る放送受信装置の一例を図面を用いて詳細に説明する。図１は、本発明の一実施形態に係る放送受信装置の構成の一例を示すブロック図、図２は、同じく放送受信装置のリモコン装置の一例を示す外観図である。
【００１０】
（放送受信装置の構成）
本発明の一実施形態であるデジタルテレビジョン装置等の放送受信装置の構成の一例を、以下に図面を用いて詳細に説明する。図１は、本発明の一実施形態に係る放送受信装置の構成の一例を示すブロック図である。なお、本発明の実施形態は、デジタルテレビジョン装置に限らず、地上波デジタル放送を受信する機能をもっている例えばハードディスクレコーダ等の記録再生装置であっても適用することができる。
【００１１】
放送受信装置１０は、図１に示すように一例としてテレビジョン装置であり、制御部３０は全体の動作を司るべくデータバスを介して各部に接続されている。放送受信装置１０は、入力側のセレクタ部１４と出力側のセレクタ部２０とを有しており、入力側のセレクタ部１４には、ＬＡＮ等やメール機能をもった通信部１１と、ＢＳ／ＣＳ／地上波デジタルチューナ部１２と、ＢＳ／地上波アナログチューナ部１３が接続される。
【００１２】
放送受信装置１０は、更に、ＢＳ／ＣＳ／地上波デジタルチューナ部１２からの復調信号を一時格納するバッファ部１５と、格納された復調信号であるパケットを種類別に分離する分離部１７と、分離部１７から供給された映像音声用のパケットにＭＰＥＧデコード処理を施し映像音声信号を出力するＭＰＥＧデコーダ部１６と、操作情報等を映像信号に重畳するＯＳＤ（On Screen Display）重畳部３４を有している。放送受信装置１０は、更に、ＭＰＥＧデコーダ部１６からの音声信号に増幅処理等を施す音声処理部１８と、ＭＰＥＧデコーダ部１６及びＯＳＤ重畳部３４から映像信号を受けて、所望の映像処理を施す映像処理部１９と、音声信号及び映像信号の出力先を選択するセレクタ部２０と、音声処理部１８からの音声信号に応じて音声を出力するスピーカ部２１と、セレクタ部２０に接続されて与えられた映像信号に応じた映像を液晶表示画面等に表示する表示部２２と、外部装置との通信を行うＩ／Ｆ部２３を有する。
【００１３】
ここで、映像処理部１９は、インターレス信号をプログレッシブに変換するＩＰ変換部４１と、コアリング処理及びエンハンス処理を行なう画質処理部４２と、スケーリング処理を行なうスケーリング部４３と、映像信号のγ補正を行なうγ補正部４４を有している。
【００１４】
放送受信装置１０は、更に、ＢＳ／地上波アナログチューナ部１３からの映像情報等を適宜記録する記憶部３５と、放送信号等から電子番組情報を取得して画面表示等を行なう電子番組情報処理部３６を有しており、これらは、データバスを介して制御部３０に接続されている。放送受信装置１０は、更に、データバスを介して制御部３０に接続されユーザの操作やリモコンＲの操作を受ける操作部３２及び操作信号を表示する表示部３３を有している。ここで、リモコンＲは、放送受信装置１０の本体に設けられる操作部３２とほぼ同等の操作を可能とするものであり、チューナの操作等、各種設定が可能である。
【００１５】
リモコンＲは、図２に示すように、一例として、数字キー１００、第１モード切替キー１０１、第２モード切替キー１０２、ＥＰＧ垂直キー１０３、ＥＰＧ水平キー１０４、マウスキー１０５、チャンネルキー１０６、ボリュームキー１０７等を備えている。
【００１６】
このような構成をもった放送受信装置１０は、放送信号が受信アンテナから例えばＢＳ／ＣＳ／地上波デジタルチューナ部１２に入力され、ここで選局が行われる。選局され復調されたパケット形式の復調信号は、分離部１７により、種類別のパケットに分離され、音声映像用パケットがＭＰＥＧデコーダ部１６等でデコード処理されて映像音声信号となって、音声処理部１８及び映像処理部１９に供給される。映像処理部１９は、与えられた映像信号について、ＩＰ変換部４１によりインターレス信号をプログレッシブに変換され、画質処理部４２ではコアリング処理及びエンハンス処理が施され、スケーリング部４３ではスケーリング処理が施され、γ補正部４４では、映像信号のγ補正が施された後に、セレクタ部２０に供給される。
【００１７】
セレクタ部２０は、制御部３０の制御信号に応じて例えば表示部２２に映像信号を供給し、これにより映像信号に応じた映像が表示部２２に表示される。また、音声処理部１８からの音声信号に応じた音声がスピーカ部２１から出力される。
【００１８】
また、ＯＳＤ重畳部３４では、操作情報や電子番組情報等が放送信号に応じた映像信号に重畳され、映像処理部１９を経て、これに応じた映像が表示部２２に表示される。
【００１９】
＜本発明の一実施形態である電子番組情報の表示処理の一例＞
次に、上述した放送受信装置の本発明の一実施形態である電子番組情報の表示処理の一例を図面を用いて詳細に説明する。図３は、同じく放送受信装置のチャンネルモードにおけるタイトルモード画面と詳細モード画面の一例を説明する説明図である。
【００２０】
本発明の一実施形態である放送受信装置の電子番組情報の表示処理は、図３に示すように、一例としてタイトルモードと詳細モードの二つの動作モードをもつものである。
【００２１】
（タイトルモード画面：図３のＤ１）
タイトルモード画面Ｄ１では、図３に示すように、一例として、ハイライト５６に応じた番組名５１と、番組日時５２と、現在日時５３と、時刻情報５３−２と、チャンネル局名５４と、時刻情報とに対応付けられる複数の番組タイトル５５が表示される。
【００２２】
また、ハイライト５６が画面上に示され一つの番組タイトルを特定しており、ハイライト５６は、色等で他のタイトルと区別されて表示される。このハイライト５６の位置は、リモコンＲ等のＥＰＧ垂直キー１０３、ＥＰＧ水平キー１０４等の操作でユーザにより移動することができる。
【００２３】
（詳細モード画面：図３のＤ２）
詳細モード画面Ｄ２では、図３に示すように、一例として、ハイライト５６に応じた番組名５１と、番組日時５２と、現在日時５３と、時刻情報５３−２が示される。
【００２４】
そして、領域６０に、ハイライト６２に対応する番組詳細情報と、これに隣接した番組詳細情報６１，６３とが、チャンネル局名５４と時間、番組タイトルに対応付けられながら表示される。
【００２５】
また、一例として、領域６０を上下から挟んだ形として番組タイトル表示のための領域に、ハイライト６２のチャンネルに隣接するチャンネルの番組タイトル６４，６５が表示される。
【００２６】
同様に、画面上に示され一つの番組タイトルを特定しているハイライト６２は、色等が他のタイトルと区別されて表示される。ハイライト６２の位置は、ユーザがリモコンＲ等のＥＰＧ垂直キー１０３、ＥＰＧ水平キー１０４等を操作することで移動することができ、これにより、隣の時間や隣のチャンネルの番組について番組詳細情報を表示することが可能である。
【００２７】
（タイトルモード画面及び詳細モード画面を表示するための処理の一例：図４乃至図７）
次に、タイトルモード画面及び詳細モード画面を表示するための処理の一例を図面を用いて詳細に説明する。図４は、本発明の一実施形態に係る放送受信装置の電子番組情報の表示処理の一例を示すフローチャートである。図５は、同じく放送受信装置の電子番組情報表示におけるタイトルモード画面の一具体例、図６は、同じく放送受信装置の電子番組情報表示における詳細モード画面の一具体例、図７は、同じく放送受信装置の電子番組情報表示における移動後の詳細モード画面の一具体例である。
【００２８】
なお、以下の図４、図８、図１２のフローチャートの各ステップは、回路ブロックに置き換えることができ、従って、各フローチャートのステップは、全てブロックに定義しなおすことが可能である。  
本発明に係る一実施形態である放送受信装置において、図４のフローチャートに示すように、初めに、制御部３０または電子番組情報処理部３６の制御によって、例えば、操作部３２やリモコンＲによる電子番組情報の表示指示があるかどうかが検出される（ステップＳ１１）。この表示指示操作は、どのような方法でも可能であるが、一例として、電子番組情報の無表示状態から第１モード切替キー１０１の１度目の押下（２度目の押下が後述する詳細モードへの切換え指示、３度目の押下が電子番組表示の消去等）を検出したことでもよいが、これに限定されるものではない。
【００２９】
制御部３０または電子番組情報処理部３６が電子番組情報の表示指示を検出すると、例えば、ＢＳ／ＣＳ／地上波デジタルチューナ部１２により、デジタル放送信号に重畳されている電子番組情報を取得する（ステップＳ１２）。
【００３０】
デジタル放送信号に重畳されている電子番組情報を取得するには、ＢＳ／ＣＳ／地上波デジタルチューナ部１２により特定の放送信号を選局し復調して、復調信号を分離部１７に供給し、重畳されている電子番組情報を分離部１７により分離する。分離された電子番組情報は、電子番組情報処理部３６に供給されて編集処理される。
【００３１】
ここで、電子番組情報は、例えば、時刻情報やチャンネル情報に対応した番組名や番組詳細情報等の各情報が、ＥＩＴの短形式イベント記述子（Short Event Descriptor）という記述子の中に記述する場所が決められている。従って、電子番組情報処理部３６は、このイベント記述子が定める場所に応じて番組名や番組詳細情報等を抽出することができる。例えば、番組名であれば、event_name_charとして全角文字４０字以内で記述されることになっている。
【００３２】
また、電子番組情報は、必ずしもＢＳ／ＣＳ／地上波デジタルチューナ部１２が受信するデジタル放送信号から抽出する必要はなく、ＢＳ／地上波アナログチューナ部１３が受信するアナログ放送信号から抽出することも好適である。更に、通信部１１を介してインターネットを経由して放送局等から取得するものでもよく、取得方法はこれらの実施形態に限定されるものではない。
【００３３】
制御部３０または電子番組情報処理部３６は、一例として、初めは、記憶部３５に格納された制御情報等に応じてデフォルトとして、図３のタイトルモード画面Ｄ１による表示を行なう。すなわち、電子番組情報処理部３６は、取得した電子番組情報から例えばＥＩＴの短形式イベント記述子に応じた場所から、指定されている日時及びチャンネルの番組名や番組詳細情報等の各情報を抽出する。そして、必要な画面に応じて、これらのチャンネル情報、時間情報、番組タイトル情報、番組詳細情報等を編成して画像形成を行う（ステップＳ１３）。
【００３４】
このときの具体例としてのタイトルモード画面Ｄ３を図５に示す。図５において、４チャンネルの『日邦テレビ』の『金曜日ロードショー』がハイライト７０により特定されていることがわかる。このハイライト７０は、ＥＰＧ垂直キー１０３やＥＰＧ水平キー１０４等の操作により、タイトルモード画面Ｄ３上の番組表中を垂直または水平に移動することができる。また、ハイライト７０を更に移動することで、番組表が移動されて表示される。また、ハイライト７０は、マウスキー１０５の操作信号を受けて移動することも好適である。
【００３５】
このように制御部３０または電子番組情報処理部３６がハイライト７０の移動命令を認識すると（ステップＳ１４）、電子番組情報処理部３６は、ハイライト７０を移動するべく電子番組情報に基づく画像信号を生成する（ステップＳ１５）。
【００３６】
更に、制御部３０または電子番組情報処理部３６は、タイトルモードから詳細モードへ切換指示操作を認識すると（ステップＳ１６）、例えば、図６に示すような詳細モード画面Ｄ４において、ハイライト７１を中心に電子番組情報を編成して画像形成する（ステップＳ１７）。
【００３７】
このタイトルモードから詳細モードへ切換指示操作は、どのような方法でも可能であるが、一例として、リモコンＲの第１モード切替キー１０１の２度目の押下を検出したことでもよいが、これに限定されるものではない。
【００３８】
制御部３０または電子番組情報処理部３６は、詳細モード画面Ｄ４において、更にハイライトの移動命令を認識すると（ステップＳ１８）、タイトルモード画面Ｄ３の場合と同様にハイライトを移動し、更に背景である番組情報を移動する。そして、図７の詳細モード画面Ｄ５に示すように、新たなハイライト７２を中心に詳細モードで電子番組情報を編成して画像形成する（ステップＳ１９）。
【００３９】
これにより、図７の詳細モード画面Ｄ５では、番組詳細情報が４チャンネルの『日邦テレビ』の『金曜日ロードショー』から６チャンネルの『ＰＢＳテレビ』の『中井広正のキンスマ』に変更され、同時に表示されている番組詳細情報もその『ＰＢＳテレビ』の隣の時間の番組が表示される。更に、番組タイトルも、隣接する４チャンネルの『日邦テレビ』と８チャンネルの『富士テレビ』へと変更されて表示される。
【００４０】
また、更に、制御部３０または電子番組情報処理部３６は、詳細モードからタイトルモードへ切換指示操作を認識すると（ステップＳ２０）、ステップＳ１３の処理に進み、タイトルモード画面Ｄ３を生成するべく電子番組情報を編成する。
【００４１】
この詳細モードからタイトルモードへ切換指示操作は、どのような方法でも可能であるが、一例として、リモコンＲの第１モード切替キー１０１の４度目の押下を検出することでもよいが、これに限定されるものではない。
【００４２】
このようにして、制御部３０または電子番組情報処理部３６は、図５に示すようなタイトルモード画面Ｄ３または図６に示すような詳細モード画面Ｄ４の両方の画面を表示するべく電子番組情報を編集して画像信号を生成する。これにより、ユーザは、タイトルモード画面Ｄ３では番組表全体の番組タイトルを知り、詳細モード画面Ｄ４では隣接する時間やチャンネルの番組との関係を確認しながら、目的となる番組の出演者等の番組詳細情報を知ることができる。
【００４３】
なお、上述した実施形態では、電子番組情報を表示する際はタイトルモードと詳細モードとの間を遷移することとなっている。しかし、タイトルモード画面Ｄ１は用意せずに詳細モード画面Ｄ２だけの実施形態とした場合でも、番組詳細情報と周辺の番組タイトルを一画面で参照可能であるという作用効果を同様に生じるものであり好適である。
【００４４】
（詳細モードでの残り情報を表示するための処理の一例：図８乃至図１１）
次に、詳細モード画面Ｄ４等において表示できなかった番組詳細情報の残りを表示させるための処理について、図面等を用いて詳細に説明する。図８は、同じく放送受信装置の電子番組情報表示における番組詳細情報の追加表示処理の一例を示すフローチャートである。図９は、同じく放送受信装置の電子番組情報表示における詳細モード画面の番組詳細情報追加表示の一具体例、図１０は、同じく放送受信装置の電子番組情報表示における詳細モード画面のスライダーバーを伴う番組詳細情報表示の一具体例を示す説明図である。図１１は、同じく放送受信装置の電子番組情報表示における詳細モードの一具体例を示す説明図である。
【００４５】
制御部３０または電子番組情報処理部３６は、図８に示すフローチャートに示すように、電子番組情報の表示命令に応じて（ステップＳ３１）、図６の詳細モード画面Ｄ４に示すようなハイライト７１を中心とした画面を表示している際に（ステップＳ３２）、番組詳細情報が画面上に全て表示できるかどうかを判断する（ステップＳ３３）。全ての番組詳細情報が画面上に表示できる場合は、通常どおりこれを行なうことで図８のサブルーチン処理は終了する（ステップＳ３５）。
【００４６】
しかし、制御部３０または電子番組情報処理部３６が、全ての番組詳細情報が画面上に表示できないと判断した場合は、スライダーバーを使用するかどうかを記憶部３５に格納されている仕様情報や設定情報等により判断する（ステップＳ３４）。制御部３０または電子番組情報処理部３６が、スライダーバーを使用しないと判断すると、図６の詳細モード画面Ｄ４のハイライト７１に示すように、表示できる範囲で番組詳細情報を表示する（ステップＳ３９）。
【００４７】
そして、制御部３０または電子番組情報処理部３６が残りの番組詳細情報を表示するべく、例えば、リモコンＲ等の例えばマウスキー１０５等（これに限らない）の切換え操作指示があったかどうかを判断する（ステップＳ４０）。制御部３０または電子番組情報処理部３６が切換指示を認識すれば、図９の詳細モード画面Ｄ６のハイライト７３のように、残りの番組詳細情報を表示するべく、電子番組情報に応じて画像信号を生成する（ステップＳ４１）。
【００４８】
また、制御部３０または電子番組情報処理部３６が、ステップＳ３４で、スライダーバーを使用すると例えば記憶部３５の仕様情報や設定情報等により判断すると（ステップＳ３４）、図１０に示す詳細モード画面Ｄ７のように、スライダーバー７４を伴って表示できる範囲で番組詳細情報を表示するべく、電子番組情報に応じて画像信号を生成する（ステップＳ３６）。ここで、制御部３０または電子番組情報処理部３６が、例えば、リモコンＲ等の例えばマウスキー１０５等により、スライダーバーの操作があったことを認識すると（ステップＳ３７）、図９の詳細モード画面Ｄ６のハイライト７３のように、残りの番組詳細情報を表示するべく、電子番組情報に応じて画像信号を生成する（ステップＳ３８）。
【００４９】
このようにして、画面上で一度に番組詳細情報を表示できない場合も、上述した手順を踏むことで全ての番組詳細情報を表示させることが好適である。また、更に、例えば、制御部３０または電子番組情報処理部３６が、リモコンＲ等の例えば第１モード切替キー１０１の所定回数の押下（これに限らない）を認識することで、図１１に示すようなハイライトの番組詳細情報のみの画面Ｄ８を表示させるべく、電子番組情報に応じて画像信号を生成することも好適である。
【００５０】
（チャンネルモードと時刻モードの切換え処理の一例：図１２及び図１３）
次に、チャンネルモードと時刻モードの切換え処理の一例を図面を用いて説明する。上述した電子番組情報の表示においては、図３に示すような縦軸がチャンネル横軸が時間のチャンネルモードであった。チャンネルモードでは、同一チャンネルの異なる時間帯の番組詳細情報は参照できるが、同一時間帯の異なるチャンネルの番組詳細情報は参照できない。
【００５１】
ここで示す時刻モードによれば、同一時間帯の異なるチャンネルの番組詳細情報を参照することができるので、ユーザがチャンネル選択を行なう場合は時刻モードの方が好都合である。
【００５２】
図１２は、本発明の一実施形態に係る放送受信装置のチャンネルモードまたは時刻モードによる電子番組情報の表示処理の一例を示すフローチャートである。図１３は、同じく放送受信装置のチャンネルモードまたは時刻モードによる電子番組情報表示の一例を説明する説明図である。
【００５３】
制御部３０または電子番組情報処理部３６は、一例として図１２のフローチャートが示すように電子番組情報の表示指示を検知すると（ステップＳ５１）、チャンネルモードが選択されているか時刻モードが選択されているかを記憶部３５に格納されている仕様情報や設定情報等により判断する（ステップＳ５２）。また、リモコンＲ等の例えば第２モード切替キー１０２等の押下によってチャンネルモードから時刻モード、時刻モードからチャンネルモードへと遷移させることが好適である。
【００５４】
ここで、制御部３０または電子番組情報処理部３６は、チャンネルモードが選択されていると判断するとステップＳ５３に進む。そして、制御部３０または電子番組情報処理部３６は、詳細モードが選択されているか詳細モードが選択されているかを判断する（ステップＳ５３）。制御部３０または電子番組情報処理部３６がタイトルモードが選択されていると判断すると、図３のタイトルモード画面Ｄ１に示すように、縦軸をチャンネル・局名に、横軸を時刻にして、番組タイトルの番組表を画像形成する（ステップＳ５４）。
【００５５】
また、制御部３０または電子番組情報処理部３６が詳細モードが選択されていると判断すると、図３の詳細モード画面Ｄ２に示すように、縦軸をチャンネル・局名に、横軸を時刻にし、ハイライトの番組とこの前後の時間の番組の番組詳細情報を画像形成する（ステップＳ５５）。
【００５６】
また、制御部３０または電子番組情報処理部３６が、ステップＳ５２において、時刻モードが選択されていると判断するとステップＳ５６に進む。そして、制御部３０または電子番組情報処理部３６は、詳細モードが選択されているか詳細モードが選択されているかを判断する（ステップＳ５６）。
【００５７】
制御部３０または電子番組情報処理部３６がタイトルモードが選択されていると判断すると、図１３のタイトルモード画面Ｄ９に示すように、縦軸を時刻に、横軸をチャンネル・局名にして、番組タイトルの番組表を画像形成する（ステップＳ５７）。
【００５８】
制御部３０または電子番組情報処理部３６が詳細モードが選択されていると判断すると、図１３の詳細モード画面Ｄ１０に示すように、縦軸を時刻に、横軸をチャンネル・局名にし、ハイライトの番組とこの前後チャンネルの番組の番組詳細情報を画像形成する（ステップＳ５８）。
【００５９】
このように図１３の詳細モード画面Ｄ１０に示すように、時刻モードの詳細モードにおいては、同一時間帯の異なるチャンネルの番組詳細情報を参照することができるので、ユーザがチャンネル選択を行なう場合は時刻モードの詳細モード画面Ｄ１０の方が好都合となるものである。
【００６０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６１】
【図１】本発明の一実施形態に係る放送受信装置の構成の一例を示すブロック図。
【図２】本発明の一実施形態に係る放送受信装置のリモコン装置の一例を示す外観図。
【図３】本発明の一実施形態に係る放送受信装置のチャンネルモードにおけるタイトルモード画面と詳細モード画面の一例を説明する説明図。
【図４】本発明の一実施形態に係る放送受信装置の電子番組情報の表示処理の一例を示すフローチャート。
【図５】本発明の一実施形態に係る放送受信装置の電子番組情報表示におけるタイトルモード画面の一具体例を示す説明図。
【図６】本発明の一実施形態に係る放送受信装置の電子番組情報表示における詳細モード画面の一具体例を示す説明図。
【図７】本発明の一実施形態に係る放送受信装置の電子番組情報表示における移動後の詳細モード画面の一具体例を示す説明図。
【図８】本発明の一実施形態に係る放送受信装置の電子番組情報表示における番組詳細情報の追加表示処理の一例を示すフローチャート。
【図９】本発明の一実施形態に係る放送受信装置の電子番組情報表示における詳細モード画面の番組詳細情報追加表示の一具体例を示す説明図。
【図１０】本発明の一実施形態に係る放送受信装置の電子番組情報表示における詳細モード画面のスライダーバーを伴う番組詳細情報表示画面の一具体例を示す説明図。
【図１１】本発明の一実施形態に係る放送受信装置の電子番組情報表示における詳細モードの画面の一具体例を示す説明図。
【図１２】本発明の一実施形態に係る放送受信装置のチャンネルモードまたは時刻モードによる電子番組情報の表示処理の一例を示すフローチャート。
【図１３】本発明の一実施形態に係る放送受信装置のチャンネルモードまたは時刻モードによる電子番組情報表示の一例を説明する説明図。
【符号の説明】
【００６２】
１０…放送受信装置、１１…通信部、１２…ＢＳ／ＣＳ／地上波デジタルチューナ、１３…ＢＳ／地上波アナログチューナ、１４…セレクタ部、１５…バッファ部、１６…ＭＰＥＧデコーダ部、１７…分離部、１８…音声処理部、１９…映像処理部、２０…セレクタ部、２１…スピーカ部、２２…表示部、２３…Ｉ／Ｆ部、３０…制御部、３２…操作部、３３…表示部、３４…ＯＳＤ重畳部、３５…記憶部、３６…電子番組情報処理部。
【図１】
2008245175.tif 000003
【図２】
2008245175.tif 000004
【図３】
2008245175.tif 000005
【図４】
2008245175.tif 000006
【図５】
2008245175.tif 000007
【図６】
2008245175.tif 000008
【図７】
2008245175.tif 000009
【図８】
2008245175.tif 000010
【図９】
2008245175.tif 000011
【図１０】
2008245175.tif 000012
【図１１】
2008245175.tif 000013
【図１２】
2008245175.tif 000014
【図１３】
2008245175.tif 000015